(57)【要約】【課題】電力の供給が停止した場合であっても、送気口における蓋部を自動的に開閉することができる送風装置の提供。【解決手段】空気清浄機の動作中において、制御部は、商用電源からの給電が停止したか否かを判断する（Ｓ１１）。商用電源からの給電が停止していない場合（Ｓ１１：ＮＯ）、制御部は、他の処理を継続して行う。商用電源からの給電が停止したと判断した場合（Ｓ１１：ＹＥＳ）、制御部は、蓄電部に蓄積された電力を用いて、電動モータを駆動し、送気口を閉塞する（Ｓ１２）。このとき、制御部は、ルーバの現在の回動停止位置を示す情報を取得して、閉状態となる回動停止位置までルーバを回動させる制御信号を生成し、生成した制御信号をモータ駆動回路に送出することにより送気口を閉塞する。【選択図】図７
2014074505.tif 000002
【特許請求の範囲】
【請求項１】
吸気口及び送気口を有し、該吸気口から送気口に至る通気路を設けてあるハウジング内に、前記吸気口から吸入される空気を前記送気口を通じて外部へ送り出す送風手段、前記送気口を開閉する蓋部、該蓋部を駆動する駆動手段、並びに外部電源より給電されて前記送風手段及び前記駆動手段の動作を制御する制御手段を備える送風装置において、
前記外部電源から給電される電力の一部を蓄積する蓄電部を備え、
前記外部電源からの給電が停止した場合、前記蓄電部に蓄積された電力を前記駆動手段へ供給して、前記蓋部の開閉を駆動するようにしてあることを特徴とする送風装置。
【請求項２】
前記外部電源からの給電が停止した場合、前記駆動手段は、前記蓋部を駆動して前記送気口を閉塞するようにしてあることを特徴とする請求項１に記載の送風装置。
【請求項３】
前記通気路の中途に、液体を貯留する貯留部と、該貯留部に貯留された液体を気化する気化手段とを設けてあり、
前記外部電源からの給電が停止した場合、前記駆動手段は、前記蓋部を駆動して前記送気口を開放するようにしてあることを特徴とする請求項１に記載の送風装置。
【発明の詳細な説明】
【技術分野】
【０００１】
本発明は、送気口を通じて外部へ空気流を送り出す送風装置に関する。
【背景技術】
【０００２】
室内の空気には、塵埃、花粉、タバコの煙、呼気等といったように、人体に不快又は有害とされる様々な物質が含まれている。特に近年では、住宅が高気密化されていることから、そのような有害物質が室内に滞り易い。そのため、旧来より部屋の窓を適宜開けて自然換気を行っていた。
【０００３】
ところが、大気汚染のひどい地域や、花粉症を患っている人が居る家庭や職場では、自然換気を思いのまま行えないのが実情である。このような状況から、室内の空気を浄化する空気浄化機能を有する空気清浄機が広く一般に普及してきている。
【０００４】
空気清浄機は、例えば、前面に浄化フィルタが取付けられ、内部には、送風機を配された通風路が形成されている。通風路は前面の開口から上部の吹出口に至る。このような空気清浄機は、送風機の回転に従い、外部の空気である室内の空気は、浄化フィルタを通じて通風路内に吸込み、吸込んだ空気を外部である室内へ吹出口より吹出す。その際、空気中に含まれる有害物質は浄化フィルタによって捕集、吸着、分解されたりして取除かれ、これにより空気が浄化される。
【０００５】
また、室内の空気をより一層快適な状態に調節する目的から、イオン発生器を搭載する空気清浄機も製品化されている。イオン発生器を搭載した空気清浄機では、プラスイオンであるＨ+ （Ｈ2 Ｏ）n （ｎは自然数）と、マイナスイオンであるＯ2- （Ｈ2 Ｏ）m （ｍは自然数）とを発生させ、吸い込んだ空気とともにイオンを吹き出すことにより、空気中を浮遊するカビ及び細菌等を不活性化するようにしている。
【０００６】
特許文献１には、別々の吸込口から吸い込んだ空気を上方向きの別々の吹出口から吹き出す２つの通風路を備えた空気清浄機が記載されている。この従来の空気清浄機は、１の通風路に加湿フィルタが配されており、空気を加湿して外部へ吹き出し、他の通風路にイオン発生器が配されており、イオンを含んだ空気を外部へ吹き出す。２つの通風路には、夫々送風機が配されてあり、２つの送風機の風量を夫々独立に制御することができるようにしてある。これにより、特許文献１記載の空気清浄機は、空気を加湿する制御と、空気を清浄化する制御とを独立して行うことができるというものである。
【０００７】
特許文献２には、１つの送風機が送風することにより１つの吸込口から通風路へ空気を吸い込み、吸い込んだ空気を浄化フィルタに通流させた後、イオン発生器が発生するイオンを含ませて、別々の吹出口から吹き出すようにしてある空気清浄機が記載されている。この空気清浄機が有する通風路の吹出口は、上方向きの天蓋部吹出口と、やや上方に傾いた前方向きへの底部吹出口とからなる。特許文献２記載の空気清浄機は、上方向きと前方向きへイオンを含んだ空気を吹き出すことにより除菌等を効果的に行うことができるというものである。
【先行技術文献】
【特許文献】
【０００８】
【特許文献１】特開２０１０−２７６２９６号公報
【特許文献２】特開２００９−１４２３５６号公報
【発明の概要】
【発明が解決しようとする課題】
【０００９】
空気清浄機の中には、送風方向と交差する軸の回りに回動するルーバを送気口付近に設け、電動モータなどの駆動手段によりルーバを回動させることによって送風方向を変化させるものが存在する。このような空気清浄機では、運転を停止させた際にルーバを駆動し、ルーバによって送気口を閉塞させることが一般的である。
【００１０】
しかしながら、ルーバは、外部電源（商用電源）からの電力供給を受ける駆動手段により駆動されるため、停電等により急に電力供給が行われなくなった場合、送気口を開放させた状態、開放位置から閉塞位置に至る途中の状態、又は送気口を閉塞した状態の何れかで停止することとなり、ルーバの開閉を制御することができないという問題点を有している。
【００１１】
本発明は、斯かる事情に鑑みてなされたものであり、電力の供給がなくなった場合であっても、送気口における蓋部を自動的に開閉することができる送風装置を提供することを目的とする。
【課題を解決するための手段】
【００１２】
本発明に係る送風装置は、吸気口及び送気口を有し、該吸気口から送気口に至る通気路を設けてあるハウジング内に、前記吸気口から吸入される空気を前記送気口を通じて外部へ送り出す送風手段、前記送気口を開閉する蓋部、該蓋部を駆動する駆動手段、並びに外部電源より給電されて前記送風手段及び前記駆動手段の動作を制御する制御手段を備える送風装置において、前記外部電源から給電される電力の一部を蓄積する蓄電部を備え、前記外部電源からの給電が停止した場合、前記蓄電部に蓄積された電力を前記駆動手段へ供給して、前記蓋部の開閉を駆動するようにしてあることを特徴とする。
【００１３】
本発明に係る送風装置は、前記外部電源からの給電が停止した場合、前記駆動手段は、前記蓋部を駆動して前記送気口を閉塞するようにしてあることを特徴とする。
【００１４】
本発明に係る送風装置は、前記通気路の中途に、液体を貯留する貯留部と、該貯留部に貯留された液体を気化する気化手段とを設けてあり、前記外部電源からの給電が停止した場合、前記駆動手段は、前記蓋部を駆動して前記送気口を開放するようにしてあることを特徴とする。
【００１５】
本発明にあっては、運転中において外部電源からの電力が得られなくなった場合、蓄電部に蓄積された電力を駆動手段に供給することによって蓋部を駆動し、送気口を閉塞する。このため、運転停止状態において、異物や空気中の埃がハウジングの内部に入り込むことが防止される。
【００１６】
また、本発明にあっては、運転中において外部電源からの電力が得られなくなった場合、蓄電部に蓄積された電力を駆動手段に供給することによって蓋部を駆動し、送気口を開放する。このため、貯留部に液体が残留している場合であっても、ハウジング内部に蒸気が籠もることはなく、ハウジングの内部が清潔に保たれる。
【００１７】
また、運転停止状態では、蓋部の回動停止位置が常に閉状態又は開状態となるため、常に同じ回動停止位置から運転を再開させることができる。このため、従来のように、運転再開時に所定の回動停止位置まで戻す必要がなく、運転を再開させるまでの時間を短縮することが可能となる。
【発明の効果】
【００１８】
本発明によれば、送風装置の運転停止状態において、送気口を自動的に閉塞する構成としているので、異物や空気中の埃がハウジングの内部に入り込むことを防止することができ、内部を清潔に保つことが可能となる。
【００１９】
本発明によれば、加湿機能を備えた送風装置の運転停止状態において送気口を自動的に開放する構成としているので、貯留部に液体が残留している場合であっても、ハウジング内部に蒸気が籠もることはなく、ハウジングの内部を清潔に保つことが可能となる。
【図面の簡単な説明】
【００２０】
【図１】本実施の形態に係る空気清浄機を示す正面側の斜視図である。
【図２】本実施の形態に係る空気清浄機を示す側断面図である。
【図３】本実施の形態に係る空気清浄機を示す背面側の斜視図である。
【図４】ルーバの構成を示す部分拡大断面図である。
【図５】ルーバの構成を示す部分拡大断面図である。
【図６】空気清浄機の制御系の構成を示すブロック図である。
【図７】実施の形態１に係る空気清浄機の動作を説明するフローチャートである。
【図８】実施の形態２に係る空気清浄機の動作を説明するフローチャートである。
【発明を実施するための形態】
【００２１】
本発明に係る送風装置を空気清浄機に適用した形態について図面を用いて具体的に説明する。
実施の形態１．
図１は本実施の形態に係る空気清浄機を示す正面側の斜視図、図２は側断面図、図３は背面側の斜視図である。なお、図２において、紙面左側は空気清浄機の正面側（前側）であり、紙面右側は空気清浄機の背面側（後側）である。
【００２２】
空気清浄機は、縦型直方体状のハウジング１を備え、壁及び床を有する室内において、ハウジング１の背面側が壁に対面する姿勢で床に設置される。ハウジング１の内部には、第１通風路１０、第２通風路２０、及び制御室９０が、互いに区画されて設けられている。
【００２３】
第１通風路１０は、垂直方向の隔壁１４及び後ろ斜め方向の隔壁１５により更に区画されており、隔壁１４より後側（背面側）のフィルタ収容室１１、２つの隔壁１４，１５の間に位置する加湿室１２、及び隔壁１５より前側（前面側）の送気室１３を備える。ハウジング１の後面には、多数の吸気口１７，１７，１７，…を有する後面パネル１６が着脱可能に取り付けられる。フィルタ収容室１１は、この後面パネル１６に開設された多数の吸気口１７，１７，１７，…を介して外部に連通する。また、送気室１３は、ハウジング１の天板に開設された送気口１８を介して外部に連通する。加湿室１２は、隔壁１４及び１５の下部に設けた開口を経て、フィルタ収容室１１及び送気室１３の双方に連通するように構成されている。
【００２４】
フィルタ収容室１１には、脱臭フィルタ３１及び集塵フィルタ３２が積層配置してある。脱臭フィルタ３１は、例えば、不織布に活性炭を分散保持させてなり、通気中の臭い成分を吸着、除去する作用をなす。集塵フィルタ３２は、例えば、公知のＨＥＰＡ（High Efficiency Particulate Air）フィルタであり、通気中に含まれる微細な塵埃を捕集、除去する作用をなす。脱臭フィルタ３１及び集塵フィルタ３２は、合成樹脂製の矩形の枠体に各別に一体化され、後面パネル１６の前側に設けたフィルタ室１１に嵌め込まれている。
【００２５】
送風手段としての送風ファン４は、例えば、シロッコファンであり、羽根車４０と、羽根車４０を駆動するファンモータ４１とを備えている。ファンモータ４１は、送気室１３を構成する壁面に固定されている。羽根車４０は、送気室１３内に突出するファンモータ４１の出力端に固定され、隔壁１４，１５の下部に設けた開口に対向配置してある。送風ファン４の羽根車４０は、ファンモータ４１の駆動によって回転する。羽根車４０が回転した場合、図２の白抜矢符で示すように、後面パネル１６に設けた吸気口１７，１７，１７，…を経て、フィルタ収容室１１の内部に外気が導入される。フィルタ収容室１１に導入された外気は、フィルタ収容室１１の内部を前方向に流れ、加湿室１２を経て羽根車４０に吸い込まれ、上向きに方向を変えて送気室１３の内部に導出される。そして、送気室１３を斜め後ろ方向に通流し、送気室１３末端の送気口１８を経て外部に送り出される。
【００２６】
このように、フィルタ収容室１１、加湿室１２及び送気室１３は、送風ファン４の動作に応じて前述した空気の流れが生じる第１通風路１０を構成する。脱臭フィルタ３１及び集塵フィルタ３２は、第１通風路１０の上流側に位置しており、吸気口１７，１７，１７，…を経てフィルタ収容室１１に導入される外気は、脱臭フィルタ３１の通過により臭い成分を除去され、集塵フィルタ３２の通過により塵埃を除去された清浄な空気となって、送気室１３の末端の送気口１８を経て送り出される。
【００２７】
なお、送気口１８には、電動モータ７５（図６を参照）により開閉駆動するルーバ７が設けられており、必要に応じて、送気口１８を開放した状態（以下、開状態）、又は送気口１８を閉塞した状態（以下、閉状態）にするように構成してある。
【００２８】
本実施の形態に係る空気清浄機は加湿機能を有しており、第１通風路１０を流れる空気を加湿すべく、加湿室１２（すなわち、集塵フィルタ３２と送風ファン４との間）には、加湿ユニット５を設けている。
【００２９】
この加湿ユニット５は、加湿フィルタ部５０と水槽５５とにより構成される。加湿フィルタ部５０は、円環状をなす保持枠５１の内側に加湿フィルタ５２を収容保持して構成されている。加湿フィルタ５２は、不織布等、高い含水性を有すると共に通気が可能な材料製のシートであり、後側から前側に向けて流れる通気との接触面積を増加させるべく、蛇腹状に折り重ね、重ね幅の方向を通気の方向に沿わせて前記保持枠５１の内部に収容されている。
【００３０】
水槽５５は、上部が開放された皿形の容器であり、ハウジング１の底板に設けたガイド部１９に嵌め込むことにより、集塵フィルタ３２の前側の加湿室１２の内部に配され、内部に設けた２つにローラ部材（不図示）により加湿フィルタ部５０の保持枠５１を回転可能に支持するように構成されている。水槽５５は、加湿フィルタ部５０と共に、ガイド部１９に沿ってスライド移動することにより、ハウジング１の一側面から外部に引き出すことが可能である。水槽５５の引き出し側の端部には、広幅のタンク受け５６が連設してあり、タンク受け５６には、給水タンク６が着脱されるようになしてある。
【００３１】
給水タンク６は、一側の端部に給水栓を有する直方体のタンクであり、給水栓の側を下向きとした倒立姿勢にてタンク受け５６に装着される。給水栓は、公知の定水位弁を内蔵している。この定水位弁は、タンク受け５６への給水タンク６の装着時に開放されて、給水タンク６内の収容水を水槽５５に送り出し、水槽５５の内部に一定水位の水を貯留させるように作用する。
【００３２】
加湿フィルタ部５０の保持枠５１の外周に沿って従動ギア５１ａが取り付けてあり、従動ギア５１ａと、加湿フィルタ部５０の上部に配置した駆動ギア５８ａとが噛合している。加湿フィルタ部５０の上部に配置した電動モータ５８により駆動ギア５８ａを回転させると、駆動力が従動ギア５１ａに伝達され、保持枠５１及び加湿フィルタ５２が回転する。加湿フィルタ５２は、回転することによって水槽５５に浸漬した部分が順次周方向に移動して水を吸い上げ、加湿フィルタ５２の全体が水分を含んだ状態になる。その結果、加湿フィルタ５２を通過した空気は加湿される。一方、加湿フィルタ５２が回転していないときには、加湿フィルタ５２を通過した空気はほとんど吸湿しない。
【００３３】
また、送風ファン４から送気口１８に至る送気室１３には、イオン発生器３５が配設されている。イオン発生器３５は、送気室１３の壁面１３ａに固定され、針状の放電電極及び該放電電極に対向配置された誘導電極を有し、高電圧を印加された放電電極がコロナ放電を起こして正負イオンを発生させる。イオン発生器３５の放電電極は、送気室１３に露出しており、イオン発生器３５を駆動している場合、送風ファン４から送気口１８へ向かう空気にイオンが放出され、イオンを含んだ空気が送気口１８より室内に送り出される。室内へ放出されたイオンは、菌類、ウィルス、及びアレルゲン等を死滅又は不活性化させ、悪臭の原因となる物質（例えばアセトアルデヒドのような有機化合物）を分解する。
【００３４】
なお、送気室１３における前側及び後側の壁面１３ａ，１３ｂは、前下側から後上方へ傾斜するように配してあるため、送気口１８を通じて送り出される空気は、空気清浄機の背面の壁に沿って上昇し、天井に沿って壁から離れる方向へ流れる。天井に沿って流れる空気は、部屋の反対側の壁付近で下降するので、イオンを含んだ空気を空気清浄機から比較的遠い場所に届かせることができる。また、部屋の反対側の壁付近で下降した空気は、床に沿って空気清浄機の方句に流れ、部屋の中を循環する。
【００３５】
一方、第２通風路２０は、第１通風路１０より上側、ハウジング１の前寄りに位置し、ハウジング１の天面に連なる曲面状の隔壁２１と、ハウジング１の前カバー１ａとにより区画された領域に設けられている。前カバー１ａには、矩形状の吸気口２２が開設されており、前カバー１ａの上部とハウジングの天面との間に送気口２６が設けられている。第２通風路２０には送風ファン２４が設けられており、第２通風路２０は、送風ファン２４より下側の吸気室２０ａと、送風ファン２４より上側の送気室２０ｂとにより分割される。吸気室２０ａは吸気口２２を通じて外部と連通し、送気室２０ｂは送気口２６を通じて外部と連通している。
【００３６】
吸気室２０ａには、粗い格子状のガード部２３が設けられており、ガード部２３に対してプレフィルタ８が着脱自在に装着されている。プレフィルタ８は、比較的編み目の細かいネット状のフィルタを保持枠により保持したフィルタ部８１と、第２通風路２０の一部を形成すると共に、着脱時の取っ手となる取っ手部８２とにより構成されている。プレフィルタ８は、吸気室２０ａへ流入する空気に含まれている粗い塵埃を捕集し除去する。
【００３７】
第２通風路２０に設けられた送風ファン２４は、ファンモータ２４１（図６を参照）及びファン２４２を備える。ファンモータ２４１はファン２４２を左右方向の軸まわりに回転駆動する。ファン２４２は、例えば、回転中心に対し外縁側が回転方向へ変位する複数の羽根を有する円筒形状をなす多翼羽根車を有するクロスフローファンである。ファン２４２は、回転中心の方向が空気清浄機の左右方向となるように配してある。ファンモータ２４１は、図示しない支持部によってハウジング１の内部に固定されている。ファン２４２は、ファンモータ２４１の出力軸に固定され、ファンモータ２４１の駆動によって回転する。ファン２４２が回転することによって、図２中の実線の矢印にて示すように、室内の空気は、吸気口２２を介して第２通風路２０へ吸入され、吸入された空気は、吸気室２０ａから送気室２０ｂへ通流し、送気口２６を通じて室内へ送り出される。
【００３８】
また、第２通風路２０には、第１通風路１０と同様に、イオン発生器２５が配設されている。イオン発生器２５は、送風ファン２４と送気口２６との間にて、隔壁２１の壁面に固定されており、針状の放電電極及び該放電電極に対向配置された誘導電極を有し、高電圧を印加された放電電極がコロナ放電を起こして正負イオンを発生させる。イオン発生器２５を駆動している場合、送風ファン２４から送気口２６へ向かう空気にイオンが放出され、イオンを含んだ空気が送気口２６より室内に送り出される。なお、送気口２６には、電動モータにより左右方向の軸のまわりに回転駆動する風向規制板２７が設けられており、送り出す空気に含まれるイオンが室内の中央付近に到達し易いように、風向規制板２７の傾斜角度が調節される。
【００３９】
第２通風路２０から送り出す空気の方向は、第１通風路１０から送り出す空気の方向と異なっている。すなわち、第２通風路２０からは、前方へ空気を送り出すようにしているのに対し、第１通風路１０からは、後方斜め上方へ空気を送り出すようにしている。
【００４０】
図４及び図５はルーバ７の構成を示す部分拡大断面図である。図４は送気口１８を閉塞した状態（閉状態）を示し、図５は送気口１８を開放した状態（開状態）を示している。
【００４１】
ルーバ７は、閉状態にて送気口１８を閉塞する蓋部材７０と、及び蓋部材７０を横方向の回動軸７２のまわりに回動可能に支持する左右一対の支持部材７１，７１とを備え、電動モータ７５（図６を参照）の駆動力によって回動軸７２のまわりに回動するように構成されている。蓋部材７０は、開状態における回動停止位置にて、送気室１３の前側の壁面１３ａと対向する第１対向面７０ａ、及び閉状態における回動停止位置にて、送気室１３の前側の壁面１３ａと当接する第２対向面７０ｂを備える。
【００４２】
図４に示すように、ルーバ７は、閉状態において蓋部材７０の第２対向面７０ｂが送気室１３の前側の壁面１３ａと当接することで送気口１８を閉塞する。また、図５に示すように、ルーバ７は、第１対向面７０ａが送気室１３の前側の壁面１３ａと略平行となる位置まで蓋部材７０を回動させることにより、送気口１８を開放する。
【００４３】
図６は空気清浄機の制御系の構成を示すブロック図である。本実施の形態に係る空気清浄機は、制御系の構成として、制御部１００、操作部１１０、表示部１２０、各種モータ駆動回路１３１〜１３４、イオン発生器２５，３５、各種センサ１０１〜１０４を備える。
【００４４】
制御部１００は、ＣＰＵ、ＲＯＭ、ＲＡＭ、ＥＥＰＲＯＭなどを備え、操作部１１０を通じて受付ける利用者からの操作指示、各種センサから出力されるセンサ出力に基づき、各種モータ駆動部及び表示部１２０の動作を制御する。
【００４５】
また、本実施の形態に係る制御部１００は、比較的容量の大きなコンデンサにより構成される蓄電部１００Ａを備える。蓄電部１００Ａは、図に示していない商用電源（外部電源）からの電力を制御部１００が受けている場合、その電力の一部を蓄積するように構成されている。本実施の形態に係る空気清浄機は、運転の停止、停電等により商用電源からの電力が得られなくなった場合、蓄電部１００Ａに蓄積した電力を用いて、ルーバ７を開閉させる電動モータ７５を駆動し、送気口１８を閉塞又は開放することを特徴の１つとしている。
【００４６】
操作部１１０は、利用者からの操作指示を受付けるための各種操作ボタンを備える。操作部１１０は、例えば、室内の空気が急に汚れた場合に押操作されるイオンシャワーボタン、室内の塵やほこりを急速に吸塵する際に押操作される急速吸塵ボタン、風量を「自動」、「静音」、「中」、「強」に切り替えるための風量切替ボタン等を備える。
【００４７】
表示部１２０は、空気清浄機の動作状態等を利用者に報知するための表示手段である。表示部１２０として、制御部１００からの指示に応じてオン／オフされるＬＥＤランプを用いることができる。また、表示部１２０としてＬＣＤディスプレイを備えるものであってもよい。
【００４８】
空気清浄機は、第１通風路１０に設けられたファンモータ４１を駆動するモータ駆動回路１３１を備える。モータ駆動回路１３１は、制御部１００からの制御信号に基づいてファンモータ４１の駆動を制御することにより、制御部１００からの指示に応じた回転速度で送風ファン４を回転させたり、送風ファン４の回転を停止させたりする制御を行う。
【００４９】
モータ駆動回路１３２は、加湿フィルタ５２を回転させるための電動モータ５８を駆動する。モータ駆動回路１３２は、制御部１００からの制御信号に基づいて電動モータ５８の駆動を制御することにより、加湿フィルタ５２を所定の回転速度で回転させたり、回転を所定の回転位置で停止させたりする制御を行う。
【００５０】
モータ駆動回路１３３は、ルーバ７を回動させるための電動モータ７５を駆動する。モータ駆動回路１３３は、制御部１００からの制御信号に基づいて電動モータ７５の駆動を制御することにより、ルーバ７を横方向の回動軸７２のまわりに回動させ、閉状態、開状態、調整状態の何れかの回動停止位置にてルーバ７を停止させる制御を行う。
【００５１】
モータ駆動回路１３４は、第２通風路２０に設けられたファンモータ２４１を駆動する。モータ駆動回路１３４は、制御部１００からの制御信号に基づいてファンモータ２４１の駆動を制御することにより、制御部１００からの指示に応じた回転速度で送風ファン２４を回転させたり、送風ファン２４の回転を停止させたりする制御を行う。
【００５２】
更に、空気清浄機は、各種センサとして、イオンセンサ１０１、温湿度センサ１０２、臭気センサ１０３、埃センサ１０４を備える。
【００５３】
イオンセンサ１０１は、送気室１３においてイオン発生器３５よりも下流側に設置され、送気室１３を通流するイオンを検出し、検出結果を適宜の時間間隔で制御部１００へ繰り返し出力する。この検出結果は、送気室１３を通流するイオンの多寡を示すものである。イオンセンサ１０１で検出したイオンの量が所定量を下回る場合、イオン発生器３５に汚損又は劣化等が生じていることがわかる。
【００５４】
温湿度センサ１０２は、例えば、ハウジング１内においてフィルタ収容室１１の側壁上部に設置されている。温湿度センサ１０２は、吸気口１７から吸入される空気の温度及び湿度を検出し、相対湿度を計測する。
【００５５】
臭気センサ１０３は、温湿度センサ１０２と同様に、ハウジング１内においてフィルタ収容室１１の側壁上部に設置される公知のガスセンサなどである。臭気センサ１０３は、臭気の要因となるガスの濃度を検知することによって、吸気口１７から吸入される空気中の臭気のレベルを検出する。ガスセンサは、例えば数百度に加熱された感ガス体の抵抗値が周囲のガスの濃度によって変化することを利用してガスの濃度を検知する。検知したガスの濃度が小さい場合、臭気のレベルは低く、検知したガスの濃度が大きい場合、臭気のレベルは高い。
【００５６】
埃センサ１０４は、温湿度センサ１０２と同様に、ハウジング１内においてフィルタ収容室１１の側壁上部に設置される光学式粒子センサなどである。光学式粒子センサは、センサに設けたスルーホール内に発光ダイオードから赤外線を放射し、スルーホール中に浮遊する粒子による反射光をフォトトランジスタで検知することにより埃の量を検出するものであり、煙草の煙のような微細な粒子も検知できる。光学式粒子センサでは、フォトトランジスタが出力する電圧の大小によって、埃の量の多寡が検出される。
【００５７】
図７は実施の形態１に係る空気清浄機の動作を説明するフローチャートである。空気清浄機の動作中において、制御部１００は、商用電源からの給電が停止したか否かを判断する（ステップＳ１１）。商用電源からの給電が停止していない場合（Ｓ１１：ＮＯ）、制御部１００は、他の処理を継続して行う。
【００５８】
商用電源からの給電が停止したと判断した場合（Ｓ１１：ＹＥＳ）、制御部１００は、蓄電部１００Ａに蓄積された電力を用いて、電動モータ７５を駆動し、送気口１８を閉塞する（ステップＳ１２）。このとき、制御部１００は、ルーバ７の現在の回動停止位置を示す情報を取得して、閉状態となる回動停止位置までルーバ７を回動させる制御信号を生成し、生成した制御信号をモータ駆動回路１３３に送出することにより、送気口１８を閉塞することができる。また、単に電動モータ７５への通電を行って、閉状態となる回動停止位置までルーバ７を回動させ、蓋部材７０の第２対向面７０ｂと送気室１３の前側の壁面１３ａとが当接した状態を維持することにより、送気口１８を閉塞する構成としてもよい。
【００５９】
以上のように、実施の形態１では、空気清浄機の運転停止状態において、送気口１８を自動的に閉塞する構成としているので、異物や空気中の埃がハウジング１の内部に入り込むことを防止することができ、内部を清潔に保つことが可能となる。
【００６０】
また、実施の形態１では、停止状態においてはルーバ７の回動停止位置が常に閉状態となるため、常に同じ回動停止位置から運転を再開させることができる。このため、従来のように、運転再開時に所定の回動停止位置まで戻す必要がなく、運転を再開させるまでの時間を短縮することが可能となる。
【００６１】
実施の形態２．
本実施の形態に係る空気清浄機は加湿機能を有し、第１通風路１０を流れる空気を加湿するためにハウジング１内に加湿ユニット５を備えているため、ハウジング１内は加湿された状態にある。このため、空気清浄機の運転停止状態において送気口１８を自動的に開放し、ハウジング１の内部を乾燥させるようにしてもよい。
実施の形態２では、空気清浄機の運転停止状態において、送気口１８を自動的に開放する構成について説明を行う。なお、空気清浄機の内部構成については実施の形態１と全く同様であるため、その説明を省略することとする。
【００６２】
図８は実施の形態２に係る空気清浄機の動作を説明するフローチャートである。空気清浄機の動作中において、制御部１００は、商用電源からの給電が停止したか否かを判断する（ステップＳ２１）。商用電源からの給電が停止していない場合（Ｓ２１：ＮＯ）、制御部１００は、他の処理を継続して行う。
【００６３】
商用電源からの給電が停止したと判断した場合（Ｓ２１：ＹＥＳ）、制御部１００は、蓄電部１００Ａに蓄積された電力を用いて、電動モータ７５を駆動し、送気口１８を開放する（ステップＳ２２）。このとき、制御部１００は、ルーバ７の現在の回動停止位置を示す情報を取得して、開状態となる回動停止位置までルーバ７を回動させる制御信号を生成し、生成した制御信号をモータ駆動回路１３３に送出することにより、送気口１８を開放することができる。また、単に電動モータ７５への通電を行って、開状態となる回動停止位置までルーバ７を回動させることにより、送気口１８を開放する構成としてもよい。
【００６４】
以上のように、実施の形態２では、空気清浄機の運転停止状態において送気口１８を自動的に開放する構成としているので、加湿ユニット５の水槽５５内に水が残留している場合であっても、ハウジング１内に蒸気が籠もることはなく、ハウジング１の内部を清潔に保つことが可能となる。
【００６５】
また、実施の形態２では、停止状態においてはルーバ７の回動停止位置が常に開状態となるため、常に同じ回動停止位置から運転を再開させることができる。このため、従来のように、運転再開時に所定の回動停止位置まで戻す必要がなく、運転を再開させるまでの時間を短縮することが可能となる。
【００６６】
なお、実施の形態２では、運転停止状態において送気口１８を開放する構成としたが、開状態と閉状態との間の中途の回動停止位置にてルーバ７の回動を停止させる構成としてもよい。
【符号の説明】
【００６７】
４  送風ファン
７  ルーバ
１８  送気口
７５  電動モータ
１００  制御部
１００Ａ  蓄電部
１１０  操作部
１２０  表示部
【図１】
2014074505.tif 000003
【図２】
2014074505.tif 000004
【図３】
2014074505.tif 000005
【図４】
2014074505.tif 000006
【図５】
2014074505.tif 000007
【図６】
2014074505.tif 000008
【図７】
2014074505.tif 000009
【図８】
2014074505.tif 000010